(57)【要約】【課題】簡単に荷摺りの交換を行なうことができ、かつ衝撃があっても荷摺りが外れることのないエレベータ装置の荷摺り取付構造を提供する。【解決手段】エレベータ装置の荷摺り取付構造は一対の横枠２を有する三方枠と、各横枠２に取付けられた荷摺り３とを備えている。荷摺り３には止め具９が設けられ、横枠２には止め具９が挿入される差込穴３ａ，３ｂ，３ｃが設けられている。横枠２の内側に差込穴３ａ，３ｂ，３ｃを覆うボックス１０が取付けられている。【選択図】  図２
2005041641.tif 000002
【特許請求の範囲】
【請求項１】
昇降路とホールとの間の乗場出入口に設置された一対の横枠を有する三方枠と、
各横枠に取付けられた荷摺りとを備え、
荷摺りに止め具を設け、
各横枠に止め具が挿入される差込穴を設け、
各横枠の内側に、差込穴を覆うボックスを取付けたことを特徴とするエレベータ装置の荷摺り取付構造。
【請求項２】
昇降路とホールとの間の乗場出入口に設置された一対の横枠を有する三方枠と、
各横枠に取付けられた荷摺りとを備え、
荷摺りに止め具を設け、
各横枠に止め具が挿入される差込穴を設け、
荷摺りは更に締結部材により横枠に固定されることを特徴とするエレベータ装置の荷摺り取付構造。
【請求項３】
昇降路とホールとの間の乗場出入口に設置された一対の横枠を有する三方枠と、
各横枠に取付けられた荷摺りとを備え、
荷摺りに止め具を設け、
各横枠に止め具が挿入される差込穴を設け、
荷摺りは三方枠に平行に延びるホール側端部を有し、この荷摺りのホール側端部は横枠のホール側端部と当接することを特徴とするエレベータ装置の荷摺り取付構造。
【請求項４】
差込穴は台形状をなし、この台形状の差込穴はホール側に傾斜縁を有し、止め具を傾斜縁に沿って係合させることにより荷摺りを昇降路側へ移行させることを特徴とする請求項３記載のエレベータ装置の荷摺り取付構造。
【請求項５】
差込穴はホール側の長手部と、昇降路側の短手部とからなることを特徴とする請求項３記載のエレベータ装置の荷摺り取付構造。
【発明の詳細な説明】
【０００１】
【発明の属する技術分野】
本発明は、乗場出入口に設置された三方枠と、三方枠の横枠に取付けられた荷摺りとを有するエレベータ装置の荷摺り取付構造に関する。
【０００２】
【従来の技術】
エレベータ装置は三方枠と、三方枠の横枠に取付けられた荷摺りとを備えている。
【０００３】
従来の三方枠に対する荷摺りの取付構造は、図１６に示すように、横枠２を覆うように下部分に荷摺り３が設置され、この荷摺り３は接着により横枠２に貼り付けられている。
【０００４】
また、建物に三方枠１を設置後、横枠２と壁６との間は強度や防火等の対策として防火鉄板５により塞がれ、モルタルやロックウール８等が詰められる。そしてモルタルやロックウール８上に仕切壁７が設けられている。防火鉄板５は横枠２と壁６に完全に固定されるため、改造やリニューアルのような改修工事がない限り、三方枠１は一度建物に設置したら半永久的に取り外されることはなく、横枠２の裏側から荷摺り３を交換することはむずかしい。
【０００５】
また、図１７に示すようにマグネット式で荷摺り３を横枠２に取付ける方法もある。図１７に示すように、横枠２の内側に磁石部材１３が設置され、荷摺り３を強磁性の性質を持つＳＵＳ４３０等から成形することにより荷摺り３を脱着可能に取付けることができる。図１７において、横枠２の外側から荷摺り２を脱着することが可能となる。
【０００６】
【発明が解決しようとする課題】
図１６に示すような接着方式で荷摺り３の交換を行う場合は、接着剤を剥がすか、三方枠１全体を総取り替えする。三方枠１を総取り替えする場合、限られた作業スペースで解体工事を行なう必要があり、多大な時間と労力を必要とする。また、接着剤により荷摺り３を取付けるため、横枠２の接着面には塗装をすることはできず、接着時間がかかり、少なからず製作上の手間もかかる。
【０００７】
一方、図１７に示すようなマグネット式では、荷摺り３の交換は可能だが、第三者（関係者以外の者）でも簡単に取外すことができ、いたずらの対象にもなり、危険である。また、衝突等の衝撃により位置がずれたり、最悪の場合は荷摺り３が外れ落ちる可能性もある。マグネット式の場合、磁性のある材料を使用することが前提となり、荷摺り３の素材の制限が発生する。例えば、ＳＵＳ４３０は強磁性をもつため使用可能だが、錆びやすく、ＳＵＳ３０４は非磁性をもつため使用できない。
【０００８】
その他には、荷摺りに関連するものとして、特許文献１記載のものがあるが、この場合、荷摺り構造が複雑である。また、特許文献２記載のものについては、荷摺りの取付方向が水平方向となるため、荷摺りが外れやすい。
【０００９】
【特許文献１】
特開平１０−３１６３４３号公報
【特許文献２】
特開２００１−３９６５３号公報
【００１０】
本発明はこのような点を考慮してなされたものであり、簡単に荷摺りの交換ができ、衝撃があっても荷摺りが外れることがないエレベータ装置の荷摺り取付構造を提供することを目的とする。
【００１１】
【課題を解決するための手段】
本発明は、昇降路とホールとの間の乗場出入口に設置された一対の横枠を有する三方枠と、各横枠に取付けられた荷摺りとを備え、荷摺りに止め具を設け、各横枠に止め具が挿入される差込穴を設け、各横枠の内側に、差込穴を覆うボックスを取付けたことを特徴とするエレベータ装置の荷摺り取付構造である。
【００１２】
本発明は、昇降路とホールとの間の乗場出入口に設置された一対の横枠を有する三方枠と、各横枠に取付けられた荷摺りとを備え、荷摺りに止め具を設け、各横枠に止め具が挿入される差込穴を設け、荷摺りは更に締結部材により横枠に固定されることを特徴とするエレベータ装置の荷摺り取付構造である。
【００１３】
本発明は、昇降路とホールとの間の乗場出入口に設置された一対の横枠を有する三方枠と、各横枠に取付けられた荷摺りとを備え、荷摺りに止め具を設け、各横枠に止め具が挿入される差込穴を設け、荷摺りは三方枠に平行に延びるホール側端部を有し、この荷摺りのホール側端部は横枠のホール側端部と当接することを特徴とするエレベータ装置の荷摺り取付構造である。
【００１４】
本発明は、差込穴は台形状をなし、この台形状の差込穴はホール側に傾斜縁を有し、止め具を傾斜縁に沿って係合させることにより荷摺りを昇降路側へ移行させることを特徴とするのエレベータ装置の荷摺り取付構造である。
【００１５】
本発明は、差込穴はホール側の長手部と、昇降炉側の短手部とからなることを特徴とするエレベータ装置の荷摺り取付構造である。
【００１６】
【発明の実施の形態】
以下、図面を参照して本発明の実施の形態について説明する。図１乃至図６は本発明によるエレベータ装置の荷摺り取付構造の一実施の形態を示す図である。
【００１７】
図１乃至図６に示すように、エレベータ装置は乗場出入口２０に設置された一対の横枠２と、上枠１ａとからなる三方枠１と、三方枠１の各横枠２の下方部分に取り付けられ横枠２の下方部分を覆う荷摺り３とを備えている。三方枠１内にはホールドア４が設置されている。
【００１８】
また荷摺り３の裏面（内側）には、断面Ｚ状の一対の止め具９が接着または溶接により設けられている。この止め具９は下方が自由端となっており、横枠２に設けられた２つの差込穴３ａ，３ｂに上方から挿入されるようになっている。差込穴３ａ，３ｂの形状は特に限定されないが、台形状の差込穴３ａおよび矩形状の差込穴３ｂが用いられる。また止め具９の形状、個数、取付位置は任意である。
【００１９】
また横枠２の内側には、差込穴３ａ，３ｂを覆うボックス１０が取付けられており、横枠２の内側から差込穴３ａ，３ｂおよび止め具９を保護している。
【００２０】
また荷摺り３は三方枠１に平行に延びるとともにホール２６側に位置するホール側端部１６を有し、このホール側端部１６は、横枠２のホール側端部１７に重ね合わされている。
【００２１】
図１乃至図６において、乗場出入口に三方枠１を設定した後、三方枠１の横枠２と乗場出入口の壁６との間が、防火鉄板５により塞がれる。次に横枠２と、壁６と、防火鉄板５との間にモルタルやロックウール８が充てんされ、このモルタルやロックウール８上に仕上壁７が設置される。
【００２２】
図１乃至図６に示すように、本実施の形態によれば、所望に応じて荷摺り３の止め具９を上方から横枠２の差込穴３ａ，３ｂ内に挿入することにより、荷摺り３を横枠２に堅固に固定することができる。
【００２３】
また荷摺り３を交換する場合は、荷摺り３を持上げ、止め具９を差込穴３ａ，３ｂから取外す。このようにして、荷摺り３を横枠２から容易に取外し、新たな荷摺り３を横枠２へ取付けることができる。また、横枠２の差込穴３ａ，３ｂがボックス１０により保護されているので、この差込穴３ａ，３ｂがモルタルやロックウール８により詰まってしまうことはない。
【００２４】
次に本発明の変形例について説明する。図１乃至図６に示す実施の形態において、横枠２の内側に２つの差込穴３ａ，３ｂ全体を覆うボックス１０を設けた例を示したが、これに限らず図７に示すように、個々の差込穴３ａ，３ｂ毎にボックス１０を設けてもよい。
【００２５】
また図８および図９に示すように、荷摺り３の止め具９を横枠２の差込穴３ａ，３ｂ内に挿入する場合、荷摺り３の外面（外側）に吸盤型の取手１１を設け、この取手１１を把持して、荷摺り３を横枠２に取り付けてもよい。この場合、取手１０を把持して荷摺り３を横枠２に上方から取付ける（図１０）。
【００２６】
また図１１に示すように、台形状の差込穴３ａが傾斜縁１５を有し、止め具９をこの差込穴３ａの傾斜縁１５に係合させてもよい。この場合、止め具９はこの傾斜縁１５に沿って降下する。同時に、止め具９が傾斜縁１５に沿って降下するにつれて荷摺り３は横枠２の側方へずれる。
【００２７】
図１１は差込穴３ａ，３ｂを横枠２の内側からみた図であり、止め具９を差込穴３ａ，３ｂ内に差込むことにより、横枠２に対して荷摺り３を図２の上方（昇降路２５側）へ移行させることができる。
【００２８】
このため、荷摺り３のホール側端部１６を横枠２のホール側端部１７に確実に当接させることができ、乗場出入口２０のホール側において、荷摺り３と横枠２との間の隙間をなくすことができる。従って荷摺り３を横枠２に対して密着して取り付けることができる。
【００２９】
次に図１２および図１３により、本発明の変形例について説明する。図１２および図１３に示す変形例は、横枠２のホール側端部１７と荷摺り３のホール側端部１６が防火鉄板５側（昇降路２５側）へ折曲げられたものである。折曲げられたホール側端部１６，１７は重ね合わされ、この重ね合わされたホール側端部１６，１７のうち、横枠２側のホール側端部１７にナット１２ａが固着されている。そして荷摺り３側のホール側端部１６からボルト（締結手段）１２が挿入されてナット１２ａに嵌込まれる。このようにして横枠２に対して荷摺り３を堅固に固定することができる。
【００３０】
次に図１４および図１５により本発明の他の変形例について説明する。
【００３１】
図１４および図１５に示すように、横枠２の差込穴３ｃは高さの異なる長手部１８と短手部１９とからなる２段階に形成されている。
【００３２】
ここで図１４は横枠２の内側から差込穴３ｃをみた図であり、図１５は横枠２の外面から差込穴３ｃをみた図である。
【００３３】
図１４および図１５において、まず荷摺り３の止め具９を差込穴の３ｃホール２６側の長手部１８に差込む。次に荷摺り３を昇降路２５側へ移行させ、止め具９を差込穴３ｃの昇降路２５側の短手部１９に係合させる。このことにより、横枠２のホール側端部１７に荷摺り３のホール側端部１６を当接させて密着させることができる。
【００３４】
【発明の効果】
以上のように本発明によれば、簡単に荷摺りの交換を行なうことができ、かつ衝撃があっても荷摺りが外れることがない。このため安全なエレベータ装置を提供することができる。
【図面の簡単な説明】
【図１】本発明によるエレベータ装置の荷摺り取付構造の概略を示す正面図。
【図２】図１中のＡ−Ａ断面図。
【図３】荷摺りを示す全体斜視図。
【図４】図３のＢ−Ｂ断面図。
【図５】横枠を外面側からみた斜視図。
【図６】横枠を内面側からみた斜視図。
【図７】本発明によるエレベータ装置の荷摺り取付構造の変形例を示す横枠の斜視図。
【図８】本発明によるエレベータ装置の荷摺り取付構造の変形例を示す横枠の斜視図。
【図９】図８の横枠に取付ける荷摺りを示す図。
【図１０】本発明によるエレベータ装置の荷摺り取付構造の変形例を示す荷摺りの取付断面図。
【図１１】本発明によるエレベータ装置の荷摺り取付構造の変形例を示す荷摺りの取付図。
【図１２】本発明によるエレベータ装置の荷摺り取付構造の変形例を示す横枠の断面図。
【図１３】本発明によるエレベータ装置の荷摺り取付構造の変形例を示す荷摺りの取付図。
【図１４】本発明によるエレベータ装置の荷摺り取付構造の変形例を示す差込穴の形状図。
【図１５】図１４の差込穴を示す斜視図。
【図１６】従来のエレベータ装置の荷摺り取付構造を示す断面図。
【図１７】従来のエレベータ装置の荷摺り取付構造を示す断面図。
【符号の説明】
１  上枠
２  横枠
３  荷摺り
３ａ，３ｂ，３ｃ  差込穴
４  ホールドア
５  防火鉄板
６  壁
７  仕上壁
８  モルタル、ロックウール等
９  止め具
１０  ボックス
１１  吸盤型の取手
１２  ボルト
１６，１７  ホール側端部
１８  長手部
１９  短手部
２０  乗場出入口
２５  昇降路
２６  ホール
【図１】
2005041641.tif 000003
【図２】
2005041641.tif 000004
【図３】
2005041641.tif 000005
【図４】
2005041641.tif 000006
【図５】
2005041641.tif 000007
【図６】
2005041641.tif 000008
【図７】
2005041641.tif 000009
【図８】
2005041641.tif 000010
【図９】
2005041641.tif 000011
【図１０】
2005041641.tif 000012
【図１１】
2005041641.tif 000013
【図１２】
2005041641.tif 000014
【図１３】
2005041641.tif 000015
【図１４】
2005041641.tif 000016
【図１５】
2005041641.tif 000017
【図１６】
2005041641.tif 000018
【図１７】
2005041641.tif 000019